(57)【要約】      （修正有）【課題】側縁部において緯方向及び斜め方向に延出する房部を有し、房部からのほつれ及びほぐれの虞がなく、また房部の形態を良好に保持できることが可能な経編レース地を提供する。【解決手段】先端部が切断された房部を有する経編レース地Ａの側縁部１において、経方向に間隔をおいて緯方向及び斜め方向に延出し熱融着性繊維を含む房部３を設け、房部３ａは編目形成糸からなる鎖糸を含む糸よりなり、房部３ｂは編目形成糸に編み込まれてなる挿入糸のみからなる。【選択図】図１
0003129453.tif 000002
【実用新案登録請求の範囲】
【請求項１】
先端部が切断された房部を有する経編レース地であって、該房部が該経編レース地の側縁部において経方向に間隔をおいて緯方向及び斜め方向に延出するように設けられてなり、前記房部は、前記側縁部の形状に応じて、少なくとも鎖糸を含んでなる房構成糸による房部と、挿入糸のみからなる房構成糸による房部とを適宜組み合わせてなり、前記房構成糸の前記房部の根元になる部分から延出する部分が、先端を切断した房部として形成されてなることを特徴とする房部を有する経編レース地。
【請求項２】
前記経編レース地において、非側縁部の地編組織を構成する編目形成糸が、数コース乃至数十コースを単位として隣接ウエール間で横振り編成してなることを特徴とする請求項１に記載の経編レース地。
【請求項３】
前記経編レース地が、地編組織に対して伸縮性糸が配されて経編編成され、少なくとも経方向に伸縮性が付与されてなる請求項１又は２に記載の房部を有する経編レース地。
【請求項４】
前記経編レース地が、非伸縮性である請求項１又は２に記載の房部を有する経編レース地。
【請求項５】
複数の前記経編レース地が、製品に使用しない捨て編み生地部を介して編幅方向に並列状に連接されて編成され、前記捨て編み生地部を除去することにより各経編レース地毎に分離可能に形成されてなる請求項１〜４のいずれか１項に記載の房部を有する経編レース地。
【請求項６】
前記経編レース地の側縁部が、カーブ形状をなす請求項１〜５のいずれか１項に記載の房部を有する経編レース地。
【請求項７】
前記経編レース地の側縁部が直線状をなす請求項１〜５のいずれか１項に記載の房部を有する経編レース地。
【請求項８】
前記経編レース地の経方向において幅が変化し、かつ分離された両側縁が、ほつれあるいはほぐれ防止となる処理が施されてなる請求項１〜７のいずれか１項に記載の房部を有する経編レース地。
【請求項９】
前記房構成糸が、その一部に熱融着性の繊維を含む糸よりなる請求項１〜８のいずれか１項に記載の房部を有する経編レース地。
【考案の詳細な説明】
【技術分野】
【０００１】
本考案は、縁飾りとしての房部を有する経編レース地、特には経方向に対し側縁部に房部を有する経編レース地に関するものである。
【背景技術】
【０００２】
ブラジャー、ショーツ等の女性用下着を始めとする各種衣料において、房あるいはアイラッシュと呼ばれる、先端が切断された糸条よりなる縁飾りとしての房部を有する経編レース地を使用したものがある。従来の房部は、編目形成糸或いは挿入糸のどちらかにより形成されている。
【０００３】
房部が編目形成糸により形成される場合は、房部の延出方向が経方向（編立方向）か斜め方向にしかならず、緯方向（編幅方向）には延出できない。また、組織構成上、各房部の間隔等の変更はせいぜい数ウエールまでであり、間隔の変化に対するバリエーションが少ない。さらに、房部の先端の切断箇所からほつれが発生し易いものである。
【０００４】
一方、房部が挿入糸のみにより形成される場合は、房部の延出方向を緯方向（編幅方向）か斜め方向にはできるが、斜め方向にするには該挿入糸を導糸する筬の使用枚数が増えてしまい柄構成に制約がでる。また、房部を設けた側縁をカーブ形状にするのは困難である。さらに、房部の先端の切断箇所からほぐれが発生し易いものである。
【考案の開示】
【考案が解決しようとする課題】
【０００５】
本考案は、上記の問題を解決するためになしたものであり、先端部が切断された房部を有する経編レース地として、経編レース地の側縁部において経方向に間隔をおいて緯方向及び斜め方向に延出する房部を設けたもので、該房部からのほつれ及びほぐれの虞が無く、しかも房部の形態を良好に保持できる経編レース地を提供するものである。
【課題を解決するための手段】
【０００６】
上記の課題を解決する本考案は、先端部が切断された房部を有する経編レース地であって、該房部が該経編レース地の側縁部において経方向に間隔をおいて緯方向及び斜め方向に延出するように設けられてなり、前記房部は、前記側縁部の形状に応じて、少なくとも鎖糸を含んでなる房構成糸による房部と、挿入糸のみからなる房構成糸による房部とを適宜組み合わせてなり、前記房構成糸の前記房部の根元になる部分から延出する部分が、先端を切断した房部として形成されてなることを特徴とする。
【０００７】
このような構成による本発明の房部を有する経編レース地によれば、前記房部が鎖糸を含んでなる房部と挿入糸のみからなる房部とを適宜組み合わせて編成され、緯方向及び斜め方向に延出する房部を設けることができ、目的に応じた装飾効果の高い房部を形成することができる。
【０００８】
前記経編レース地においては、側縁部を除く非側縁部の地編組織を構成する編目形成糸が、数コース乃至数十コースを単位として隣接ウエール間で横振り編成してなるものとすることができる。これにより、経編レース地を裁断などした際のほつれを該横振り箇所で止めることができる。
【０００９】
前記経編レース地は、地編組織に対して伸縮性糸が配されて経編編成され、少なくとも経方向に伸縮性が付与されてなるものとすることができる。
【００１０】
あるいは、前記経編レース地は、地編組織に対して伸縮性糸が配されることなく経編編成され、伸縮性をほとんど有さないものとすることができる。
【００１１】
また、前記経編レース地としては、製品に使用しない捨て編み生地部を介して編幅方向に並列状に連接されて編成され、前記捨て編み生地部を除去することにより各経編レース地毎に分離可能に形成されてなるものとすることができる。
【００１２】
前記経編レース地としては、前記側縁部がスカラップとしての波形状や大小のカーブ形状をなすものとすることができる。
【００１３】
あるいは、前記経編レース地としては、前記側縁部が直線状をなすものとすることができる。
【００１４】
また、前記経編レース地は、経方向において幅が変化し、かつ分離された両側縁が、ほつれあるいはほぐれ防止となる処理が施されてなるものとすることができる。
【００１５】
前記経編レース地において、前記房構成糸としては、その一部に熱融着性の繊維を含む糸よりなるものとすることができる。これにより、房部の切断端からのほつれやほぐれを防止でき、また挿入組織で編み込まれた房部の抜けを防止できる。
【考案の効果】
【００１６】
上記した本考案によれば、経編レース地の側縁部において経方向に適宜の間隔をおいて緯方向及び斜め方向に延出する房部を設けた経編レース地を提供することができ、特に、鎖糸を含んでなる房部と挿入糸のみからなる房部とを適宜組み合わせることにより、装飾性が良好で種々の用途に広範囲に利用できる房部を有する経編レース地を提供することができる。
【００１７】
さらに、本考案は、房構成糸としてその一部に熱融着性の繊維を含む糸を用いることにより、房部の切断端からのほつれやほぐれ、あるいは挿入組織で編み込まれた房部の抜けを防止でき、房部の形態を良好に保持できる経編レース地を提供することができる。
【考案を実施するための最良の形態】
【００１８】
次に本考案の実施の形態を図面に示す実施例に基づいて説明する。
【００１９】
図１は本考案の経編レース地の実施例を示す略示平面図、図２は同上経編レース地の編成上の房構成糸を含む主要糸のラッピング状態を略示する一部の編組織図、図３は同上経編レース地を分離した後の主要糸の状態を略示する一部の模式図、図４は同上の経編レース地の編成上の捨て編み生地部を含めた略示平面図、図５は捨て編み生地部を介さずに連接された側縁部が大きなカーブ形状である別の実施例の経編レース地の略示平面図、図６は側縁部の一方が直線状である別の実施例の経編レース地の略示平面図、図７は経方向において幅が変化し側縁部がカーブ形状である別の実施例の経編レース地の略示平面図、図８は経方向において幅が変化し側縁部が直線状である別の実施例の経編レース地の略示平面図、図９は本考案の経編レース地をブラジャーに使用した例を示す略示斜視図、図１０は本考案の経編レース地をショーツに使用した例を示す略示斜視図である。
【００２０】
図１において、本考案の経編レース地Ａは、基本的に、基布となる地編の組織を編成するいわゆる地筬とは別に、柄を編成するための複数枚の柄筬を備える経編機、あるいは、前記柄筬と共に、ジャカード装置でガイドニードルの運動を制御することにより穴地、薄地、厚地等の組み合わせによるジャカードレース柄やメッシュ状等の地編組織を編成する少なくとも１枚のジャカードガイド筬を備える経編機により編成される。
【００２１】
図１、図２及び図３の経編レース地Ａは、その側縁部１を除く非側縁部２において、平地やメッシュ状等の地編組織に対して、柄糸が所定のパタ−ンで挿入編成されることにより、該経編レース地Ａの中に該柄糸による柄部が形成され、また前記経編レース地Ａの側縁部１には湾曲状や波状のスカラップが形成されている。
【００２２】
図２及び図３の、房構成糸４ａ，４ｂを含む経編レース地Ａの側縁部１においては、非伸縮性糸により同一ウエールで編立方向に連続する鎖編組織にて編目形成されている。一方、該経編レース地Ａの非側縁部２においては、非伸縮性糸により数コース乃至数十コースを単位として隣接ウエール間で横振りし、編み終わりからのほつれを防ぐ組織にて編目形成されている。
【００２３】
さらに、この経編レース地Ａには、必要に応じて、地編組織においてポリウレタン繊維等よりなる伸縮性糸が全体に配されて地編組織を構成するように挿入編成されることにより、レース地全体として少なくとも経方向に、すなわち経方向にあるいは経緯両方向に伸縮性が付与される。この場合において、前記伸縮性糸の本数、太さ、種類等による特性の変化により、部分的に伸縮性が変化せしめられてなるものとすることができる。
【００２４】
逆に、前記基本となる地編組織において、ポリウレタン繊維等よりなる伸縮性糸を配さないことにより非伸縮性の経編レース地となる。地編組織としては、前記以外の種々の実施が可能であり、また柄の構成についても任意に設定して実施できる。
【００２５】
そして、前記経編レース地Ａにおける両側縁部の少なくとも一方、例えば図１の側縁部１には、該側縁部１より編立方向に沿う経方向に所要の間隔をおいて編幅方向に沿う緯方向及び斜め方向への延出状をなし、かつ先端部が切断された所定長の糸条よりなる房部３が多数並列して形成されている。前記房部３は、編目形成糸である鎖糸を含む房構成糸４ａによる房部３ａと編目形成糸に編み込まれる挿入糸のみからなる房構成糸４ｂによる房部３ｂを適宜組み合わせてアイラッシュ状をなすように形成されている。
【００２６】
前記房部３ａを構成する房構成糸４ａの一部は編目形成糸であるが、チュール組織、アトラス組織のような隣のウエールに編目が移る組織ではなく、図２の編組織図の例に示すように同一ウエールに編目を連続して形成する鎖編組織からなるものであり、房部３ａとなる部分は両隣のウエールの糸に連結されず形成されている。該房構成糸４ａの一部である鎖糸は、側縁部１において房部を構成するだけでなく地編組織を構成する糸でもある。
【００２７】
また、前記房部３ｂを構成する房構成糸４ｂは編目形成糸ではなく、他の挿入編成された柄糸等と同様に、地編組織に対して挿入編成により編み込まれる柄糸の一種からなるものである。すなわち、図２の編組織図の例に示すように、該房構成糸４ｂの前記房部３ｂの根元になる部分が、前記側縁部付近の地編組織に対し挿入編成により編み込まれて保持されるものであり、該房構成糸４ｂの前記根元部分から連続して前記側縁部１より緯方向に延出する部分がその先端を切断した房部３ｂとして形成されている。前記のように房構成糸４ｂは編目形成せずに編み込まれる糸であるため、房部の形態保持性が良くて安定し、全体として太さの揃った房部３ｂを形成でき、該房部３ｂからの編地のほつれなども生じない。該房構成糸４ｂは、目的に応じて糸の繊度、種類、撚り数を選択できる。さらに例えば、レース地非側縁部２及び側縁部１の伸縮性に関係なく、伸縮性糸及び非伸縮性糸のいずれかを使用することもできる。また、糸種を部分的に変更したり、異色の糸を使用することもできる。
【００２８】
前記の房部を有する経編レース地Ａは、通常、図４のように、前記房部３が形成される側縁部１の外側方に捨て編み生地部５を配して編成される。この経編レース地Ａの編成状態について、図２に基づいて説明する。
【００２９】
図２において、編目形成糸６は、レース地非側縁部２の地編組織糸であり、主に非伸縮性糸により同一ウエールで編目形成後隣接ウエールに移行しそのウエールで編目形成後元のウエールに戻る動きを、数コース乃至数十コースを単位として繰り返している。房構成糸４ａの一部でもある鎖糸は、レース地側縁部１の地編組織糸であり、主に非伸縮性糸により同一ウエールで編立方向に連続して鎖編を行う。挿入糸７は、非伸縮性糸又は伸縮性糸よりなり、前記編目形成糸６と前記側縁部１の地編組織糸及び捨て編み生地部５の地編組織糸により編成されるウエールに対し横振り挿入されて地編組織を形成する。該挿入糸７を導糸する筬をジャカード筬にして、ジャカード制御により穴地、薄地、厚地等のジャカード組織で編成する場合もある。本実施例では、経編レース地Ａにおける地編組織の最外側端のウエールＷ１と捨て編み生地部５との間は、糸抜き等の手段で房部３ｂの長さに対応した針数分の間隔を空けて編成されているが、必ずしも間隔を空ける必要はなく、房部３ｂの長さを任意に設定できる。
【００３０】
柄筬により導糸する房構成糸４ｂについては、経編レース地Ａの側縁部１の形状に応じて、該房構成糸４ｂによる房部３ｂの根元になる部分を、側縁部１の部分の最外端のウエール又は該ウエールから１もしくは数ウエール内方さらにはそれ以上内方のウエールに対して挿入編成し、房部３ｂの間隔に応じたコース数に渡ってジグザグ状に、且つ適宜にウエールを移行させながら挿入編成する。そして、房部３ｂを形成するコース位置において、前記房構成糸４ｂを、前記捨て編み生地部５の位置まで横振り移行させて、該捨て編み生地部５の端部に対し房部３ｂの間隔に応じたコース数に渡って挿入編成しジグザグ状に編み込む。この後、前記房構成糸４ｂを、前記側縁部の元のウエールの位置に横振り移行させて戻し、前記同様に根元部分を前記ウエールに挿入編成により編み込む。このようにして、前記房構成糸４ｂを、房部３ｂを形成するコース毎に、経編レース地Ａの側縁部１から前記捨て編み生地部５の側へ、または前記捨て編み生地部５から前記経編レース地Ａの側へ横振り移行させる。
【００３１】
房構成糸４ａの一部である鎖糸は、側縁部１において同一ウエールで編立方向に連続して鎖編を行う。そして、房部３ａとなる部分以外では、挿入糸７によって適宜隣接ウエールと連結し、房部３ａとなる部分では、隣接ウエールに連結せずに編成する。
【００３２】
この編成後、編成された経編レース地Ａを緯方向に張った状態で熱セットすることで、房部３ａとなる部分が斜め方向を向く。その後、図３のように房構成糸４ａ、４ｂの先端に沿ってカットし、前記捨て編み生地部５を除去することによりアイラッシュ状の房部３ａ、３ｂが形成されてなる経編レース地Ａを得ることができる。その際、前記房構成糸４ｂが経編レース地Ａに編み込まれている部分では、柄糸（図示せず）を前記房構成糸４ｂを導糸する筬の前後筬に導糸し横振りすることで、前記房構成糸４ｂによる房部３ｂの根元になる部分が、レース表面から見えにくく外観的な体裁が良好で、しかも、レース裏面に前記房部３ｂの根元部分が露出することがないため肌触りも良好なものになる。
【００３３】
上記の経編レース地Ａの編成において、前記房部３ｂ同士の間隔は、前記側縁部１及び捨て編み生地部５のウエールに対する房構成糸４ｂの編み込みのコース数により適宜設定でき、編み方向において前記間隔を変化させるのも容易である。また、前記房部３bの長さについては、前記側縁部１と前記捨て編み生地部５との間の糸抜きの針数の増減によって適宜変更し設定することができる。また、前記房部３ａ同士の間隔及び本数は、図２においてはＷ１、Ｗ２、Ｗ３それぞれのウエールで房部３ａを設けているが、例えばＷ２とＷ３のウエールの房部３ａとなる部分で前記挿入糸７を横振りし連結することで１本の房にでき、Ｗ１のウエールの房との間隔を広げることが可能となるように適宜設定できる。
【００３４】
前記経編レース地Ａは、複数の経編レース地Ａを、それぞれの間に捨て編み生地部５を介して並列状に連接して編成するか、あるいは、図５のように捨て編み生地部を介さずに編成する。そして、編成後に上記同様に熱セットし、房構成糸を捨て編み生地部に沿ってカットし捨て編み生地部５を除去するか、あるいは、図５の場合は房構成糸の任意の箇所をカットし、上記同様の複数の経編レース地Ａを同時に得ることができる。
【００３５】
前記のように編成され製造される経編レース地Ａにおいて、前記房構成糸４ａは、編目形成糸からなる鎖糸を含んでなるので、房部３ａの切断端からのほつれを防止するのが望ましい。また、前記房構成糸４ｂは、編目形成糸に編み込まれてなる挿入糸であるので、房部３ｂの切断端からの撚りのほぐれを防止し、かつ地編組織から抜け易くなるのを防止するのが望ましい。
【００３６】
その手段の一つとして、前記房構成糸４ａとしては、その一部に熱融着性の繊維を、例えば２０〜１００％程度、好ましくは３０〜８０％程度含む糸を使用する。一例として、熱融着性繊維よりなる糸と非熱融着性繊維よりなる糸とを撚り合わせた糸を使用する。これにより、編成後の熱セットにより、前記熱融着性繊維の糸が溶融して非熱融着性繊維の糸が接着されることになって、房部３ａの切断端からのほつれを防止できる。
【００３７】
さらに、前記房構成糸４ｂとしては、その一部に熱融着性の繊維を、例えば５〜４０％程度、好ましくは５〜２５％程度含む糸を使用する。一例として、熱融着性繊維よりなる糸と非熱融着性繊維よりなる糸とを軽く撚り合わせた双糸を、さらに３本撚りした諸糸を使用する。これにより、編成後の熱セットにより、前記熱融着性繊維の糸が溶融して非熱融着性繊維の糸が接着されることになって、房部３ｂの切断端からの撚りのほぐれを防止できる。また、前記房構成糸４ｂの根元の部分において、地編組織を構成する糸でもある前記房構成糸４ａに熱融着性繊維を含む糸を使用することで、前記房構成糸４ｂが挿入で編み込まれているだけであるにも拘わらず、容易に抜け難くなる。房構成糸４ａ及び４ｂに使用する糸の繊度は、房部３ａと３ｂのバランスに応じて適宜選択できる。
【００３８】
前記経編レース地Ａの側縁は、図１のようにスカラップとしてのカーブ形状をなすことや、図６の左側縁のように直線状をなすことができる。さらに図６のように片方の側縁に房部３を設け、他方の側縁にピコット８を設けることも可能である。
【００３９】
また、前記経編レース地Ａは、図７のように経方向において幅が変化し、かつ分離された両側縁が、ほつれあるいはほぐれ防止となる処理が施され、カーブ形状をなすことや、図８のように側縁が直線状をなすことができる。ほつれを防止する方法としては、前記熱融着糸を使用する手法以外に、ほつれる部分においてほつれ防止糸を側縁形状に沿って編み込む手法を用いてもよい。
【００４０】
上記のように編成され製造された経編レース地Ａは、ブラジャーやショーツ等の女性用下着を始めとする各種衣料に使用できる。図９は、前記経編レース地Ａをブラジャー９のカップ部に使用した例を示し、カップ形状に応じてモールド加工を施したレース地を、前記側縁部に有する房部３をカップ上縁に出すようにして、カップ土台布１０と縫製して使用している。このほか、前記カップ土台布１０も経編レース地Ａの一部として一体に編成しておくこともできる。
【００４１】
図１０は、前記経編レース地Ａをショーツ１１の腰部に使用した例を示し、レース地の経方向をショーツ１１の横方向にして、前記側縁部に有する房部３を腰部の上縁と下縁に出すようにして、ショーツ下部の生地部分１２と縫製して使用している。
【００４２】
このような使用において、前記房部３は、経編レース地Ａの経方向すなわち編立方向に対して緯方向及び斜め方向に延びているので、使用状の目的に応じた装飾効果の高い房部３を形成でき、さらに房部３の先端の切断箇所からほつれ及びほぐれの虞が無く、しかも房部３の形態を良好に保持できる。
【産業上の利用可能性】
【００４３】
本考案は、ブラジャー、ショーツ等の女性用下着を始めとする各種衣料に好適に利用できる。
【図面の簡単な説明】
【００４４】
【図１】本考案の経編レース地の実施例を示す略示平面図である。
【図２】同上経編レース地の編成上の房構成糸を含む主要糸のラッピング状態を略示する一部の編組織図である。
【図３】同上経編レース地を分離した後の主要糸のラッピング状態を略示する一部の模式図である。
【図４】同上の経編レース地の編成上の捨て編み生地部を含めた略示平面図である。
【図５】捨て編み生地部を介さずに連接された側縁部が大きなカーブ形状である別の実施例の経編レース地の略示平面図である。
【図６】側縁部の一方が直線状である別の実施例の経編レース地の略示平面図である。
【図７】経方向において幅が変化し側縁部がカーブ形状である別の実施例の経編レース地の略示平面図である。
【図８】経方向において幅が変化し側縁部が直線状である別の実施例の経編レース地の略示平面図である。
【図９】本考案の経編レース地をブラジャーに使用した例を示す略示斜視図である。
【図１０】本考案の経編レース地をショーツに使用した例を示す略示斜視図である。
【符号の説明】
【００４５】
Ａ…経編レース地、１…側縁部、２…非側縁部、３…房部、４ａ，４ｂ…房構成糸、５…捨て編み生地部、６…編目形成糸、７…挿入糸、８…ピコット、９…ブラジャー、１０…土台布、１１…ショーツ、１２…生地部分。
【図１】
0003129453.tif 000003
【図２】
0003129453.tif 000004
【図３】
0003129453.tif 000005
【図４】
0003129453.tif 000006
【図５】
0003129453.tif 000007
【図６】
0003129453.tif 000008
【図７】
0003129453.tif 000009
【図８】
0003129453.tif 000010
【図９】
0003129453.tif 000011
【図１０】
0003129453.tif 000012